(57)【要約】【課題】ノズルの長さをやや長くして、薬剤を泡状物として吐出し、薬剤の塗布範囲を狭くして患部に集中させるとともに、一定時間患部に付着しているようにした泡噴出容器を提供すること。【解決手段】容器と、噴出ノズルを取付けるノズル筒を設けた吐出ヘッドを具えた噴出容器であって、噴出ノズルは、噴出筒部と、該噴出筒部と隔壁を隔てて連設された泡状化筒部とからなり、隔壁には、噴出筒部の流路に連設する噴霧孔が設けられ、泡状化筒には、隔壁に沿って空気導入孔が設けられていることを特徴とする。【選択図】        図１
2005022684.tif 000002
【特許請求の範囲】
【請求項１】
容器と、噴出ノズルを取付けるノズル筒を設けた吐出ヘッドを具えた噴出容器であって、
噴出ノズルは、噴出筒部と、該噴出筒部と隔壁を隔てて連設された泡状化筒部とからなり、
隔壁には、噴出筒部の流路に連設する噴霧孔が設けられ、
泡状化筒には、隔壁に沿って空気導入孔が設けられていることを特徴とする泡噴出容器。
【請求項２】
泡状化筒は、短い長さの筒体であって、筒内に、先端出口側を狭くした泡化室を形成し、
先端に噴出口が設けられていることを特徴とする請求項１記載の泡噴出容器。
【請求項３】
喉用薬剤を泡状化して噴射することを特徴とする請求項１、２記載の泡噴出容器。
【発明の詳細な説明】
【０００１】
【発明の属する技術分野】
本発明は、薬剤噴出容器、とくに喉用薬剤の泡噴出容器に関する。
【０００２】
【従来の技術】
薬剤を喉に噴射したり、塗布したりする噴出容器は従来より周知であり、その一つとして、喉に薬剤を直接塗布するために長尺のノズルを有するスプレー容器も、従来より知られている（例えば、特許文献１参照。）。
また、一般の泡噴出容器として、噴出路中にメッシュ体を設け、内容液を泡状化するようにした噴出容器も知られている（例えば、特許文献２参照。）。
【０００３】
【特許文献１】
特開２００２−１５９８９２号公報
【特許文献２】
特開平１０−２９６１４０号公報
【０００４】
【発明が解決しようとする課題】
しかしながら、従来周知の技術では、ノズルが長くないので、噴霧範囲が広くなり、患部に必要量の薬剤を集中できないという問題があった。
前記文献１記載の従来技術は、長尺のノズルであるため、喉の患部に直接薬剤を塗布するようにできる点では優れたものであったが、使用時に、ノズルを収納位置から注出位置に切り換えるようにしており、その構造は、複雑であり、切換操作も簡単ではないという問題があった。
【０００５】
また、文献２記載の技術は、噴出口から噴出される内容液を空気と混合させ、メッシュ体を通すことによって泡状化させるので、泡の噴出速度がおそくなり、喉スプレーとして用いた場合、患部まで届かないという問題があった。
【０００６】
本発明は、上記の問題点を解決することを課題として、ノズルの長さをやや長くして、薬剤を泡状物として吐出し、薬剤の塗布範囲を狭くして患部に集中させるとともに、一定時間患部に付着しているようにした泡噴出容器を提供することを目的とする。
【０００７】
【課題を解決するための手段】
本発明は、上記の課題を解決するため、泡噴出容器として、容器と、噴出ノズルを取付けるノズル筒を設けた吐出ヘッドを具えた噴出容器であって、噴出ノズルは、噴出筒部と、該噴出筒部と隔壁を隔てて連設された泡状化筒部とからなり、
隔壁には、噴出筒部の流路に連設する噴霧孔が設けられ、泡状化筒には、隔壁に沿って空気導入孔が設けられていることを特徴とする構成を採用する。
【０００８】
泡状化筒の実施態様として、泡状化筒は、短い長さの筒体であって、筒内に、先端出口側を狭くした泡化室を形成し、先端に噴出口が設けられていることを特徴とする構成を採用する。
【０００９】
泡噴出容器は、喉用薬剤を泡状化して噴射することを特徴とする。
【００１０】
【発明の実施の形態】
次に、本発明の実施形態について、図面を参照して説明する。
図１、２において、１は容器、２は噴出ポンプである。
容器１は、口部３と胴部とからなり、口部３には、取付キャップ４を介して噴出ポンプ２が取着されている。
噴出ポンプ２は、公知のものと同様のポンプ（図示しない）と、ポンプに取着された吐出ヘッド５とを具えており、吐出ヘッド５は、ポンプのステム６に嵌着された内筒７と外周壁８、外周壁８上部から突出したノズル筒９とからなっている。
【００１１】
ノズル筒９には、図３に示すように、噴出筒１０と、噴出筒１０と隔壁１１で隔てて連設された泡状化筒１２とからなる噴出ノズル１３が嵌着されており、噴出筒１０には、内筒７に設けられた通路１４に連通する流通路１５が設けられている。
【００１２】
隔壁１１には、流通路１５に連通する流路１６が設けられ、中心に噴霧孔１７が穿孔されている。
泡状化筒１２は、隔壁１１に沿って空気導入孔１８が設けられた短い長さの筒体で、筒内は、先端出口側を狭くなるようにした泡状化室１９となっており、先端は、噴出口２０となっている。
泡状化筒１２の長さは、噴出される泡が所要の距離まで届くように、内容液の物性、導入空気量、噴出孔からの噴霧形状などから、適宜に設定できる。
【００１３】
次に、本発明噴出容器の作用効果について説明する。
本噴出容器は、喉薬、その他薬品を患部に塗布するために使用される。
噴出ノズル１３を塗布する個所に向けてノズルヘッドを押圧すると、一定量の薬剤が泡状となって噴出口２０より噴出される。
【００１４】
その際、薬剤は、噴霧孔１７から霧状となって噴出され、同時に、空気導入孔１８から空気を吸引して泡状化室１９内で混合され、先端に行くにしたがって室内通路が狭くなることによって速度が付与され、噴出口２０から泡状となって噴出される。
そのため、患部には、泡状化された薬剤が塗布され、薬剤が泡状であるため、表面張力が大きくなっているので長く留まっており、薬効を維持できることとなり、また、喉スプレーとして使用する場合には、噴霧スプレーのように広がらないので、気管支の方に入るおそれも少なくなり、使用も簡単になった。
【００１５】
次に、別実施形態について説明する。
本実施形態は、泡状化室の長さを調節可能としたもので、図４において、１３ａは噴出ノズルであり、噴霧孔１７ａを設けた隔壁１１ａ、泡状化筒１２ａとからなっている。
泡状化筒１２ａは、隔壁１１ａに連設された内筒２１と、該内筒２１に摺動自在に装着された外筒２２とからなっており、内筒２１の外周面には、一対の位置決め突起２３ａ、２３ｂが設けられ、内筒２１内面には、突起２３ａ、２３ｂに係合する凹溝２４が設けられている。
【００１６】
内外筒２１、２２の根本部には、隔壁１１ａに沿って、空気導入孔１８ａ、１８ｂが設けられ、筒内は、泡状化室１９ａとなっている。
内外筒２１、２２の先端は、噴出口２０ａ、２０ｂとなっている。
【００１７】
使用にあたっては、泡状化室１９ａの長さを長くすることによって、外筒２２の噴出口２０ｂを患部に近づけることができるので、泡の噴射速度が少ない場合でも、確実に塗布することができる。
【００１８】
【発明の効果】
本発明は、上記のように構成されているから、次の効果を奏する。
噴出容器を開いて、薬剤を泡状化して噴出するようにしたので、操作が簡単で、かつ、泡状化することによって薬剤を患部に留まるようにしたから、薬効を高めることができる。
【図面の簡単な説明】
【図１】本発明泡噴出容器の斜視図である。
【図２】泡噴出容器の一部断面立面図である。
【図３】噴出ノズル部の拡大説明図である。
【図４】別実施形態の泡噴出容器の斜視図である。
【符号の説明】
１    容器
２    噴出ポンプ
３    口部
４    取付キャップ
５    吐出ヘッド
６    ステム
７    内筒
８    外周壁
９    ノズル筒
１０  噴出筒
１１、１１ａ  隔壁
１２、１２ａ  泡状化筒
１３、１３ａ  噴出ノズル
１４  通路
１５  流通路
１６  流路
１７、１７ａ  噴霧孔
１８、１８ａ、１８ｂ  空気導入孔
１９、１９ａ  泡状化室
２０ａ、２０ｂ  噴出口
２１  内筒
２２  外筒
２３ａ、２３ｂ  突起
【図１】
2005022684.tif 000003
【図２】
2005022684.tif 000004
【図３】
2005022684.tif 000005
【図４】
2005022684.tif 000006